(57)【要約】【課題】本考案は、特に背骨の歪みから起こる姿勢不良及び腰痛と関連的に生じるヒツプのたるみを矯正して健やかに過ごせることを目的とした姿勢矯正補助具である。【解決手段】本考案は、通常の下着状の背骨部に例えば硬質ゴム状の凸起物を取り付けて、凸起物が背骨を刺激することで背骨を伸ばす作用効果で自然に姿勢が矯正され、又下着の臀部にとりつけてある矯正パツトの作用で歩行時等には姿勢正しく尚ヒツプアツプしたスタイルが保持される、また腰腹部のゴムバンドにより腰痛の予防改善が図られる。【選択図】図１
0003134594.tif 000002
【実用新案登録請求の範囲】
【請求項１】
下着の背面部に背骨に接触させて刺激作用を起こさせることを目的に取り付けた硬質ゴム状の突起と臀部をヒツプアツプさせるためにシリコン系のパツトと腰腹部にゴムバンドを組み込んで、歩行時の姿勢とスタイルを正す事と、腰痛の防止と改善を図ることを特徴とした姿勢矯正補助具。
【考案の詳細な説明】
【技術分野】
【０００１】  本考案は、下着の背面部に、背骨に接触させることにより刺激を与え背骨を伸ばす作用をする硬質のゴム状の突起物を取り付け、また臀部にはたるんだヒツプを持ち上げるためにとりつけたウレタン材によるパツトと、腰腹部にゴムバンドを取り付けたことにより歩行時の姿勢とスタイルを正すことと、腰痛の予防と改善を図る事を目的とした姿勢矯正補助具に関するものである。
【背景技術】
【０００２】  従来の姿勢矯正具、または下着類は身体を物理的に外力を与えるタイプが主流であり利用者には窮屈感を与え長期間の使用には耐え切れず挫折することが大半でした、又関連して起こる腰痛問題には対応した物がなかつた。
【考案の開示】
【考案が解決しようとする課題】
【０００３】  姿勢が悪く前かがみの状態を矯正するために、従来はゴムバンドまたはコルセツト状の器具で物理的に外力をかける方法が一般的であるが使用者には大変窮屈に感じていた、また姿勢が悪い人は関連して臀部も垂れ下がり、また腰痛があつた。これを矯正するためにゴム状の繊維で編んだコルセツトを使用していたが圧迫感があり長時の使用には耐えがたかつた。
【課題を解決するための手段】
【０００４】  本考案は、下着状の背面部に、装着した場合に背骨に干渉すると背骨に刺激を与え瞬時に背骨を延ばす作用をする突起物を取り付けてある。また臀部には装着した場合にたるんだ部分のみを上に持ち上げるためのゴム付きのウレタン材のパツトが取り付いてあり、腰掛けでの作業、および、車の運転中に自然に背中の突起物が背骨に干渉して姿勢を矯正する作用をする、また歩行中は臀部のパツトの作用でヒツプアツプされて全体の姿勢が正される、又腰腹部のゴムバンドにより腰部をサポ−トし腰痛の予防効果が図られる。
【考案の効果】
【０００５】  上述の様に、本考案は姿勢を悪くする要点のみに作用させる事で使用者に窮屈感を与えることなく知らず知らず姿勢を正し、健康面、および歩行時のスタイル向上及び腰痛の予防にも効果が期待できる。
【考案の実施するための最良の形態】
【０００６】通常のゴムバンド入り下着で、特に腰腹部には厚手のゴムバンドで背中側に脊椎に干渉して刺激を与える突起物が取り付けてあり、また、臀部には左右一個ずつウレタン材のパツトが取り付けてあり常時ヒツプを上に持ち上げるように部分的にゴム材の繊維でカバーしてあり日常の生活を通して無理なく自然に姿勢の矯正と腰痛の予防改善ができる。
【実施例】
【０００７】  以下、添付図面に従つて一実施例を説明する。１ａは下着本体を示す、１ｂは腰痛防止用ゴムバンドを示す、２は硬質ゴム製の突起物を示す、尚突起物の取り付け位置は丁度おへその裏側部で背骨に常時干渉するように取り付けられる、一方３ａ，３ｂはパツトを示し５ａ，５ｂ，はゴム入りのパツトカバーである、４ａ，４ｂはヒツプアツプ用ゴムにて常時上にヒツプを持ち上げている。以上のような下着タイプの姿勢矯正補助具を装着することで背骨を突起物で刺激して背骨を伸ばし、たるんだ臀部は外形の形状がなだらかで美しいパツトで持ち上げることで全体の姿勢が矯正され、関連して腰痛の予防改善が図られる。
【図面の簡単な説明】
【０００８】
【図１】本考案実施の姿勢矯正補助具を示す背面斜視図である。
【図２】本考案の姿勢矯正補助具を装着時の前面図を示す。
【図３】図１の上面図で突起物２の取り付け状態を示す。
【符号の説明】
【０００９】１ａ  下着本体
１ｂ  腰痛防止用ゴムバンド
２    突起物
３ａ  右パツト
３ｂ  左パツト
４ａ  左側ヒツプアツプ用ゴム
４ｂ  右側ヒツプアツプ用ゴム
５ａ  右パツトカバー
５ｂ  左パツトカバー
【図１】
0003134594.tif 000003
【図２】
0003134594.tif 000004
【図３】
0003134594.tif 000005
【手続補正書】
【提出日】平成19年5月24日(2007.5.24)
【手続補正１】
【補正対象書類名】実用新案登録請求の範囲
【補正対象項目名】全文
【補正方法】変更
【補正の内容】
【実用新案登録請求の範囲】
【請求項１】
ショーツの背面部に背骨に接触させて刺激作用を起こさせることを目的に取り付けた硬質ゴム状の突起と臀部をヒツプアツプさせるためにシリコン系のパツトと腰腹部にゴムバンドを組み込んで、歩行時の姿勢とスタイルを正す事と、腰痛の防止と図ることを特徴とした姿勢矯正補助具。
【手続補正２】
【補正対象書類名】明細書
【補正対象項目名】全文
【補正方法】変更
【補正の内容】
【考案の詳細な説明】
【技術分野】
【０００１】  本考案は、ショーツの背面部に、背骨に接触させることにより刺激を与え背骨を伸ばす作用をする硬質のゴム状の突起物を取り付け、また臀部にはたるんだヒツプを持ち上げるためにとりつけたウレタン材によるパツトと、腰腹部にゴムバンドを取り付けたことにより歩行時の姿勢とスタイルを正すことと、腰痛の予防と改善を図る事を目的とした姿勢矯正補助具に関するものである。
【背景技術】
【０００２】  従来の姿勢矯正具、またはショーツ類は身体を物理的に外力を与えるタイプが主流であり利用者には窮屈感を与え長期間の使用には耐え切れず挫折することが大半でした、又関連して起こる腰痛問題には対応した物がなかつた。
【考案の開示】
【考案が解決しようとする課題】
【０００３】  姿勢が悪く前かがみの状態を矯正するために、従来はゴムバンドまたはコルセツト状の器具で物理的に外力をかける方法が一般的であるが使用者には大変窮屈に感じていた、また姿勢が悪い人は関連して臀部も垂れ下がり、また腰痛があつた。これを矯正するためにゴム状の繊維で編んだコルセツトを使用していたが圧迫感があり長時の使用には耐えがたかつた。
【課題を解決するための手段】
【０００４】  本考案は、ショーツ状の背面部に、装着した場合に背骨に干渉すると背骨に刺激を与え瞬時に背骨を延ばす作用をする突起物を取り付けてある。また臀部には装着した場合にたるんだ部分のみを上に持ち上げるためのゴム付きのウレタン材のパツトが取り付いてあり、腰掛けでの作業、および、車の運転中に自然に背中の突起物が背骨に干渉して姿勢を矯正する作用をする、また歩行中は臀部のパツトの作用でヒツプアツプされて全体の姿勢が正される、又腰腹部のゴムバンドにより腰部をサポ−トし腰痛の予防効果が図られる。
【考案の効果】
【０００５】  上述の様に、本考案は姿勢を悪くする要点のみに作用させる事で使用者に窮屈感を与えることなく知らず知らず姿勢を正し、健康面、および歩行時のスタイル向上及び腰痛の予防にも効果が期待できる。
【考案の実施するための最良の形態】
【０００６】通常のゴムバンド入りショーツで、特に腰腹部には厚手のゴムバンドで背中側に脊椎に干渉して刺激を与える突起物が取り付けてあり、また、臀部には左右一個ずつウレタン材のパツトが取り付けてあり常時ヒツプを上に持ち上げるように部分的にゴム材の繊維でカバーしてあり日常の生活を通して無理なく自然に姿勢の矯正と腰痛の予防改善ができる。
【実施例】
【０００７】  以下、添付図面に従つて一実施例を説明する。１ａはショーツ本体を示す、１ｂは腰痛防止用ゴムバンドを示す、２は硬質ゴム製の突起物を示す、尚突起物の取り付け位置は丁度おへその裏側部で背骨に常時干渉するように取り付けられる、一方３ａ，３ｂはパツトを示し５ａ，５ｂ，はゴム入りのパツトカバーである、４ａ，４ｂはヒツプアツプ用ゴムにて常時上にヒツプを持ち上げている。以上のようなショーツタイプの姿勢矯正補助具を装着することで背骨を突起物で刺激して背骨を伸ばし、たるんだ臀部は外形の形状がなだらかで美しいパツトで持ち上げることで全体の姿勢が矯正され、関連して腰痛の予防改善が図られる。
【図面の簡単な説明】
【０００８】
【図１】本考案実施の姿勢矯正補助具を示す背面斜視図である。
【図２】本考案の姿勢矯正補助具を装着時の前面図を示す。
【図３】図１の上面図で突起物２の取り付け状態を示す。
【符号の説明】
【０００９】１ａ  ショーツ本体
１ｂ  腰痛防止用ゴムバンド
２    突起物
３ａ  右パット
３ｂ  左パット
４ａ  左側ヒップアップ用ゴム
４ｂ  右側ヒップアップ用ゴム
５ａ  右パットカバー
５ｂ  左パットカバー